(57)【特許請求の範囲】
【請求項１】
被加熱物を収容する加熱室と、発振部と、前記発振部の出力を複数に分配する電力分配部と、前記電力分配部の出力位相を可変する複数の位相可変部と、前記位相可変部の出力をそれぞれ電力増幅する複数の増幅部と、前記増幅部の出力を前記加熱室に給電する複数の給電部とを有し、前記給電部から前記増幅部方向に伝送するマイクロ波電力を検出する複数の電力検出部と、前記発振部の発振周波数と前記位相可変部の位相差を制御する制御部とを備え、
前記制御部は、前記被加熱物を収容した前記加熱室に対して、前記給電部個々の、同じ前記給電部へ戻る反射電力、別の前記給電部へ伝わる透過電力と、反射電力に対する透過電力の相対的な位相差を把握した後、把握した情報を基に使用する前記給電部、発振周波数、位相差を確定し、マイクロ波加熱を開始する構成としたマイクロ波処理装置。
【請求項２】
前記発振部の発振周波数を変動させ、複数設けた前記給電部の１ヶ所のみから給電し、同じ前記給電部へ戻る反射電力と、別の前記給電部へ伝わる透過電力を前記電力検出部にて検出し、検出した発振周波数変動に対する反射電力、透過電力およびその給電元と伝送先となる前記給電部の関係を記憶する反射・透過特性の検出を全ての前記給電部に対して行なう構成とした請求項１に記載のマイクロ波処理装置。
【請求項３】
前記発振部の発振周波数を変動させ、複数設けた前記給電部の内２ヶ所のみから同時に給電し、給電元の前記給電部へ戻る反射電力と、別の前記給電部から伝わる透過電力が合わさった総反射電力を前記電力検出部で検出し、検出した発振周波数変動に対する総反射電力およびその給電元と伝送先となる前記給電部の関係を記憶する２給電反射特性の検出を行なう構成とした請求項１記載のマイクロ波処理装置。
【請求項４】
前記反射・透過特性の検出にて記憶した透過電力の平均値が最も多い前記給電部の組み合わせをグループとして制御する構成とした請求項１から３のいずれか１項に記載のマイクロ波処理装置。
【請求項５】
前記反射・透過特性の検出にて記憶した透過電力の平均値が、予め定められた閾値を超える前記給電部の組み合わせを別のグループとして制御する構成とした請求項１から４のいずれか１項に記載のマイクロ波処理装置。
【請求項６】
前記グループの組み合わせに対して、前記２給電反射特性の検出を行い、その他の組み合わせに対して、前記２給電反射特性の検出を省略する構成とした請求項１から５のいずれか１項に記載のマイクロ波処理装置。
【請求項７】
前記反射・透過特性の検出にて記憶した反射電力と、透過電力および前記２給電反射特性の検出にて記憶した総反射電力より、発振周波数および位相差の制御に対する前記給電部個々の総反射電力を把握し、前記給電部個々の総反射電力の合計値を最小とする発振周波数、位相差を確定し、確定した発振周波数、位相差条件での総反射電力が、予め定められた閾値を超える前記給電部は、出力するマイクロ波電力を制限する構成とした請求項１から３のいずれか１項に記載のマイクロ波処理装置。
【請求項８】
前記制御部は、前記電力検出部による検出をマイクロ波加熱中も継続し、検出されるマイクロ波電力が、加熱開始時の値から予め定められた閾値以上変動すると、前記反射・透過特性の検出および前記２給電反射特性の検出を行い、記憶している反射電力、透過電力および総反射電力の情報を入れ替え、入れ替えた情報を基に使用する前記給電部、発振周波数、位相差を確定し、マイクロ波加熱を継続する構成とした請求項１から３のいずれか１項に記載のマイクロ波処理装置。
【請求項９】
出力するマイクロ波電力を制限している前記給電部の前記電力検出部で検出されるマイクロ波電力の変動に対する閾値は、出力するマイクロ波電力を制限していない前記給電部の前記電力検出部で検出されるマイクロ波電力の変動に対する閾値とは異なる構成とした請求項１から３または請求項８のいずれか１項に記載のマイクロ波処理装置。
【発明の詳細な説明】
【技術分野】
【０００１】
本発明は、半導体素子を用いて構成したマイクロ波発生部を備えたマイクロ波処理装置に関するものである。
【背景技術】
【０００２】
従来のこの種のマイクロ波処理装置は、半導体発振部と、発振部の出力を増幅する複数の増幅部と、加熱室と、給電部分のインピ−ダンスを検出するインピ−ダンス検出部とを有するものがある（例えば、特許文献１参照）。そして、インピ−ダンス検出部の検出結果により発振周波数を制御してむらのない安定した調理を可能としている。
【０００３】
発振周波数を可変できるマイクロ波加熱電源と、マイクロ波電力を加熱室へ放射するアンテナと、アンテナからの反射電力を検波する検波器とを有するものがある（例えば、特許文献２参照）。そして、反射電力が最小となる電源の発振周波数を追尾し、その近傍で電源を駆動し、常に最大の電力効率で駆動できるとしている。
【０００４】
半導体発振部と、半導体発振部の出力を複数に分割する分配部と、分配された出力をそれぞれ増幅する複数の増幅部と、増幅部の出力を合成する合成部とを有し、分配部と増幅部との間に位相器を設けた従来技術がある（例えば、特許文献３参照）。そして、位相器制御で２出力の電力比率を変化させたり、２出力間の位相を同相あるいは逆相にしたりすることができるとしている。
【特許文献１】特開昭５９−１６５３９９号公報
【特許文献２】特公昭６２−４８３５４号公報
【特許文献３】特開昭５６−１３２７９３号公報
【発明の開示】
【発明が解決しようとする課題】
【０００５】
しかしながら、前記従来の複数給電方式における構成では、下記説明のように、加熱室内に収納されたさまざまな形状・種類・量の異なる被加熱物を所望の状態に加熱処理することは難しいという課題を有していた。
【０００６】
加熱室のインピーダンスや反射電力の検出結果に従い、発振周波数を最適化して、加熱むらを制御したり、より良い電力効率で動作させたりすることは可能だが、１ヶ所からのマイクロ波電力給電では、さまざまな形状・種類・量の異なる被加熱物に対応するには不十分だった。また、市販電子レンジと同等出力とするには、マイクロ波電力の最大出力となる半導体素子を使用した最終段増幅部が複数必要で、複数の増幅部からそれぞれ給電部にマイクロ波を伝送するのが最も安価で性能も安定する。
【０００７】
前記従来の構成を複数ヶ所の給電に応用する場合、加熱室のインピーダンス検出のみでは、給電部間の透過電力の影響が把握できないため、検出誤差が大きくなる。複数ヶ所の給電を同一発振周波数で動作させて、周波数追尾する制御では、１ヶ所からの給電と大差なく、さまざまな形状・種類・量の異なる被加熱物に対応するには不十分となる。
【０００８】
また、複数ヶ所の給電部への発振周波数制御と位相差制御全ての組み合わせ条件に対して、加熱室のインピーダンスや反射電力の検出を確認するのには時間がかかりすぎるという課題も有している。
【０００９】
本発明は、上記従来の課題を解決するもので、被加熱物を収容した加熱室に対して、給
電部個々の、同じ給電部へ戻る反射電力、別の給電部へ伝わる透過電力と、反射電力に対する透過電力の相対的な位相差を把握し、把握した情報を基に使用する前記給電部、発振周波数、位相差を確定し、マイクロ波加熱を開始する構成とし、短時間でマイクロ波電力の反射および透過性能に影響する情報を得られ、発振周波数および位相差をそれぞれ最適に制御することで、さまざまな形状・種類・量の異なる被加熱物を所望の状態に加熱し、同時に加熱室から戻るマイクロ波電力を低く抑えられ、効率よく動作するマイクロ波発処理装置を提供することを目的とする。
【課題を解決するための手段】
【００１０】
前記従来の課題を解決するために、本発明のマイクロ波処理装置は、被加熱物を収容する加熱室と、発振部と、前記発振部の出力を複数に分配する電力分配部と、前記電力分配部の出力位相を可変する複数の位相可変部と、前記位相可変部の出力をそれぞれ電力増幅する複数の増幅部と、前記増幅部の出力を前記加熱室に給電する複数の給電部とを有し、前記給電部から前記増幅部方向に伝送するマイクロ波電力を検出する複数の電力検出部と、前記発振部の発振周波数と前記位相可変部の位相差を制御する制御部とを備え、前記制御部は、前記被加熱物を収容した前記加熱室に対して、前記給電部個々の、同じ給電部へ戻る反射電力、別の給電部へ伝わる透過電力と、反射電力に対する透過電力の相対的な位相差を把握した後、把握した情報を基に使用する前記給電部、発振周波数、位相差を確定し、マイクロ波加熱を開始する構成とし、短時間でマイクロ波電力の反射および透過性能に影響する情報を得られ、発振周波数および位相差をそれぞれ最適に制御することで、さまざまな形状・種類・量の異なる被加熱物を所望の状態に加熱し、同時に加熱室から戻るマイクロ波電力を低く抑え、効率よく動作させることができる。
【発明を実施するための最良の形態】
【００１１】
第１の発明は、被加熱物を収容する加熱室と、発振部と、発振部の出力を複数に分配する電力分配部と、電力分配部の出力位相を可変する複数の位相可変部と、位相可変部の出力をそれぞれ電力増幅する複数の増幅部と、増幅部の出力を加熱室に給電する複数の給電部とを有し、給電部から増幅部方向に伝送するマイクロ波電力を検出する複数の電力検出部と、発振部の発振周波数と位相可変部の位相差を制御する制御部とを備え、制御部は、被加熱物を収容した加熱室に対して、給電部個々の、同じ給電部へ戻る反射電力、別の給電部へ伝わる透過電力と、反射電力に対する透過電力の相対的な位相差を把握した後、把握した情報を基に使用する給電部、発振周波数、位相差を確定し、マイクロ波加熱を開始する構成としたものであり、各給電部間の反射電力値、透過電力値と相対的な位相差が明確に把握でき、全ての発振周波数制御と、位相差制御に対する給電部個々の総反射電力の変動特性を算出でき、マイクロ波電力の制御による効果を確実に引き出すことができ、さまざまな形状・種類・量の異なる被加熱物を所望の状態に加熱することができる。
【００１２】
第２の発明は、発振部の発振周波数を変動させ、複数設けた給電部の１ヶ所のみから給電し、同じ給電部へ戻る反射電力と、別の給電部へ伝わる透過電力を電力検出部にて検出し、検出した発振周波数変動に対する反射電力、透過電力およびその給電元と伝送先となる給電部の関係を記憶する反射・透過特性の検出を全ての給電部に対して行なう構成としたものであり、給電部個々のマイクロ波の反射電力と、透過電力を明確に把握でき、給電するマイクロ波電力の発振周波数および位相差の制御による効果を確実に引き出すことができ、さまざまな形状・種類・量の異なる被加熱物を所望の状態に加熱することができる。
【００１３】
第３の発明は、発振部の発振周波数を変動させ、複数設けた給電部の内２ヶ所のみから同時に給電し、給電元の給電部へ戻る反射電力と、別の給電部から伝わる透過電力が合わさった総反射電力を電力検出部で検出し、検出した発振周波数変動に対する総反射電力およびその給電元と伝送先となる給電部の関係を記憶する２給電反射特性の検出を行なう構
成としたものであり、第２の発明の把握情報と合わせて、複数の給電部から給電したマイクロ波の相互干渉に影響する反射電力と透過電力の相対的な位相差が明確に把握でき、給電するマイクロ波の発振周波数および位相差の制御による効果を確実に引き出すことができ、さまざまな形状・種類・量の異なる被加熱物を所望の状態に加熱することができる。
【００１４】
第４の発明は、反射・透過特性の検出にて記憶した透過電力の平均値が最も多い給電部の組み合わせをグループとして制御する構成としたものであり、給電部間の透過電力が多くて、相互干渉の効果が高い組み合わせに対し、発振周波数および位相差の制御をすることでより確実に効果を引き出すことができ、さまざまな形状・種類・量の異なる被加熱物を所望の状態に加熱することができる。
【００１５】
第５の発明は、反射・透過特性の検出にて記憶した透過電力の平均値が、予め定められた閾値を超える給電部の組み合わせを別のグループとして制御する構成としたものであり、相互干渉の効果が高い組み合わせに対し、発振周波数および位相差の制御をすることでより確実に効果を引き出すことができ、さまざまな形状・種類・量の異なる被加熱物を所望の状態に加熱することができる。
【００１６】
第６の発明は、グループの組み合わせに対して、２給電反射特性の検出を行い、その他の組み合わせに対して、２給電反射特性の検出を省略する構成としたものであり、相互干渉の効果が高い組み合わせに対し、発振周波数および位相差の制御をすることでより確実に効果を引き出し、効果の薄い組み合わせは位相差制御対象から外して、検出も省略することで、短時間での加熱条件確定を実現することが可能となる。
【００１７】
第７の発明は、反射・透過特性の検出にて記憶した反射電力と、透過電力および２給電反射特性の検出にて記憶した総反射電力より、発振周波数および位相差の制御に対する給電部個々の総反射電力を把握し、給電部個々の総反射電力の合計値を最小とする発振周波数、位相差を確定し、確定した発振周波数、位相差条件での総反射電力が、予め定められた閾値を超える給電部は、出力するマイクロ波電力を制限する構成としたものであり、把握した情報より、全ての発振周波数制御と、位相差制御に対する給電部個々の総反射電力の変動特性を算出でき、短時間での最適なマイクロ波加熱条件確定ができ、さまざまな形状・種類・量の異なる被加熱物を所望の状態に加熱することができる。また、給電部から増幅部方向に戻るマイクロ波電力により、半導体素子などの部品が発熱で劣化したり、損傷したりするのを未然に防止できる。
【００１８】
第８の発明は、制御部は、電力検出部による検出をマイクロ波加熱中も継続し、検出されるマイクロ波電力が、加熱開始時の値から予め定められた閾値以上変動すると、反射・透過特性の検出および２給電反射特性の検出を行い、記憶している反射電力、透過電力および総反射電力の情報を入れ替え、入れ替えた情報を基に使用する給電部、発振周波数、位相差を確定し、マイクロ波加熱を継続する構成としたものであり、記憶している情報を更新することで、被加熱物の加熱による変化などの影響を排除でき、最適制御を継続でき、さまざまな形状・種類・量の異なる被加熱物を所望の状態に加熱し、同時に効率よく動作できる。また、加熱中の電力検出部の検出情報を基にしているので、最適かつ最小限の回数で記憶している情報の更新が行なえ、加熱に要する時間を最短にできる。
【００１９】
第９の発明は、出力するマイクロ波電力を制限している給電部の電力検出部で検出されるマイクロ波電力の変動に対する閾値は、出力するマイクロ波電力を制限していない給電部の電力検出部で検出されるマイクロ波電力の変動に対する閾値とは異なる構成としたものであり、マイクロ波出力制限を判断する閾値は、その他の給電効率監視の閾値より細かく設定することにより、半導体素子などの部品劣化や損傷防止の安全確保と、より多くのマイクロ波電力給電による加熱時間短縮の両立を行なえる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態におけるマイクロ波処理装置の構成図である。
【００２２】
図１において、マイクロ波発生部は半導体素子を用いて構成した発振部１ａ，１ｃ、発振部１ａ，１ｃの出力を２分配する電力分配部２ａ，２ｃ、電力分配部２ａ，２ｃそれぞれの出力を増幅する半導体素子を用いて構成した増幅部４ａ〜４ｄ、増幅部４ａ〜４ｄによって増幅されたマイクロ波出力を加熱室８内に給電する給電部５ａ〜５ｄ、および電力分配部２ａ，２ｃと増幅部４ａ〜４ｄを接続するマイクロ波伝送路に挿入され入出力に任意の位相差を発生させる位相可変部３ａ〜３ｄ、増幅部４ａ〜４ｄと給電部５ａ〜５ｄを接続するマイクロ波伝送路に挿入され給電部５ａ〜５ｄ側から戻ってくるマイクロ波電力を検出する電力検出部６ａ〜６ｄ、電力検出部６ａ〜６ｄによって検出される総反射電力に応じて発振部１ａ，１ｃの発振周波数と位相可変部３ａ〜３ｄの位相差を制御する制御部７とで構成している。
【００２３】
以上のように構成されたマイクロ波処理装置について、以下その動作、作用を説明する。
【００２４】
まず被加熱物９を加熱室８に収納し、その加熱設定を操作部（図示していない）から入力し、加熱を開始する。加熱開始信号を受けた制御部７は、加熱条件確定の後、加熱条件に従い制御出力信号を出し、マイクロ波発生部が動作を開始する。全ての給電部５ａ〜５ｄを使用する加熱条件の場合、制御部７は、駆動電源（図示していない）を動作させて発振部１ａ，１ｃに電力を給電する。この時、発振部１ａ，１ｃの発振周波数は、たとえば２４５０ＭＨｚに設定する電圧信号を供給し、発振が開始する。発振部１ａ，１ｃを動作させると、その出力は電力分配部２ａ，２ｃにて各々略１／２分配され、４つのマイクロ波電力となる。以降、駆動電源を制御して増幅部４ａ〜４ｄを動作させる。
【００２５】
そしてそれぞれのマイクロ波電力は並列動作する増幅部４ａ〜４ｄ、電力検出部６ａ〜６ｄ、給電部５ａ〜５ｄを経て加熱室８内に給電される。加熱室８内へ給電されたマイクロ波電力の内、被加熱物９などに吸収されなかったマイクロ波電力は、給電部５ａ〜５ｄを通じて戻り、その給電部５ａ〜５ｄ個々の総反射電力が電力検出部６ａ〜６ｄにて検出され、その総反射電力量に比例した信号は制御部７に送られ、給電部５ａ〜５ｄ夫々の総反射電力が把握される。
【００２６】
制御部７は、マイクロ波加熱に移る前に、給電部５ａ〜５ｄ個々の総反射電力の発振周波数に対する変動特性および位相差に対する変動特性を把握し、総反射電力が極小値となる発振周波数および位相差を選択し、加熱条件の確定を行なう。
【００２７】
発振周波数の変動特性は、例えば、発振部１ａ、１ｃの発振周波数を２４００ＭＨｚから２５００ＭＨｚに到達するまで、１ＭＨｚピッチで変化させながら、給電部５ａ〜５ｄ側から戻ってくる総反射電力を電力検出部６ａ〜６ｄによって検出して入手できる。位相差の変動特性は、例えば、位相可変部３ａ〜３ｄによって生じる位相差を０度から３６０度まで、１０度ピッチ毎に条件を変えて、前記発振周波数の変動特性を検出して入手できる。本来ならこのようにして、全てのデータを検出するには、上記例の場合、３６通りの発振周波数変動特性の検出が必要となる。また、より最適な加熱結果を得るために、複数ある発振部１ａ，１ｃの発振周波数制御や、位相可変部３ａ〜３ｄの位相差制御を違える場合は更に多くの検出が必要となる。
【００２８】
しかし本発明では、給電部個々の反射電力値、透過電力値と相対的な位相差より、全ての発振周波数制御と、位相差制御に対する総反射電力の変動特性を算出する。例えば、給電部５ａの総反射電力は、給電部５ａから給電して、同じ給電部５ａへ戻る反射電力値と、別の給電部５ｂ〜５ｄから給電部５ａへ伝わってくる各透過電力値を、反射電力と各透過電力間の相対的な位相差を使用してベクトル加算して得られる。また、給電部５ａ〜５ｄいずれかの位相差条件を違える場合の総反射電力は、各相対的な位相差に位相変動分を加えてベクトル加算すれば得られる。
【００２９】
給電部５ａから給電部５ａへの反射電力値と、給電部５ａから給電部５ｂ〜５ｄ個々への透過電力値の発振周波数変動特性は、発振部１ａの発振周波数を変動させ、増幅部４ａのみ動作させ、給電部５ａの１ヶ所のみから給電して、電力検出部６ａ〜６ｄでの検出を行なう反射・透過特性の検出で把握できる。給電部５ｂ〜５ｄからの反射電力値と、透過電力値も同様に反射・透過特性の検出で把握できる。また、給電部５ａ，５ｂの２ヶ所のみから同時に給電して、電力検出部６ａで検出する２給電反射特性の検出により、給電部５ａから給電部５ａへの反射電力と、給電部５ｂから給電部５ａへの透過電力が合算された総反射電力値の発振周波数変動特性が得られる。２給電反射特性の検出による総反射電力値と、給電部５ａ，５ｂの１ヶ所のみから給電した反射・透過特性の検出で把握した反射電力値および透過電力値より逆算すれば、反射電力と透過電力の相対的な位相差が把握できる。反射・透過特性の検出と、２給電反射特性の検出全ての組み合わせを行っても１０通りで、検出時間も短縮できる。
【００３０】
位相差制御は、給電部５ａ〜５ｄから給電したマイクロ波電力の相互干渉が強いほど効果が現れるので、給電部５ａ〜５ｄ間の透過電力が多い組み合わせをグループとして位相差制御をすることで、より確実に効果を引き出すことができる。給電部５ａ〜５ｄ間の透過電力が多い組み合わせは、反射・透過特性の検出の結果より把握できる。また、小さい透過電力値はベクトル加算しても総反射電力に与える影響が少ないため、給電部５ａ〜５ｄ間の透過電力が少ない組み合わせは位相差制御対象から外し２給電反射特性の検出も省略すれば検出時間を更に短縮できる。
【００３１】
以上のようにより短い時間で把握した情報より、全ての発振周波数制御と、位相差制御に対する総反射電力の変動特性を算出でき、その中から最適な加熱条件を確定し、給電するマイクロ波電力の発振周波数および位相差を制御でき、さまざまな形状・種類・量の異なる被加熱物９を所望の状態に加熱することができ、同時に加熱室８から戻るマイクロ波電力を低く抑え効率よく動作させることができる。
【００３２】
マイクロ波加熱中も電力検出部６ａ〜６ｄによる検出を制御部７にて監視し、検出されたマイクロ波電力が、加熱開始時の値から予め定められた閾値以上変動すると、給電部５ａ〜５ｄの内変化にかかわっている給電部について、反射・透過特性の検出および２給電反射特性の検出を行い、記憶している反射電力、透過電力および総反射電力の情報を入れ替えて、入れ替えた情報を基に使用する給電部、発振周波数、位相差を確定し、マイクロ波加熱を継続することにより、被加熱物の加熱による変化などの影響を排除して最適制御を継続でき、さまざまな形状・種類・量の異なる被加熱物を所望の状態に加熱し、同時に効率よく動作できる。また、加熱中の電力検出部の検出情報を基にしているので、最適かつ最小限の回数で記憶している情報の更新が行なえ、加熱に要する時間を最短にできる。
【００３３】
マイクロ波電力の吸収が極端に少ない被加熱物９を加熱する場合などで、反射電力と透過電力の合計が、予め定められた閾値内に収まる加熱条件が設定できない給電部がある場合は、その給電部から出力するマイクロ波電力を制限して、加熱室８への給電に至るまでの伝送経路各部品の自己発熱を抑え、給電部５ａ〜５ｄから増幅部４ａ〜４ｄ方向に戻る
マイクロ波電力による発熱で半導体素子などの部品が劣化したり、損傷したりするのを未然に防止できる。給電部のマイクロ波電力の出力を制限している間も、電力検出部６ｂ〜６ｄの検出を継続し、検出されたマイクロ波電力が、加熱開始時の値から予め定められた閾値以上変動すると、給電部５ａ〜５ｄの内変化にかかわっている給電部について、反射・透過特性の検出および２給電反射特性の検出を行い、記憶している反射電力、透過電力および総反射電力の情報を入れ替えて、入れ替えた情報を基に使用する給電部、発振周波数、位相差を確定し、マイクロ波加熱を継続する。ただし、出力するマイクロ波電力を制限している給電部の電力検出部で検出されるマイクロ波電力の変動に対する閾値は、半導体素子などの部品劣化や損傷防止の安全確保と、より多くのマイクロ波電力給電による加熱時間短縮の両立を行なうため、その他の給電効率監視の閾値より細かく設定する。
【００３４】
なお、上記の説明では、位相可変部３ａ〜３ｄを４つ挿入した例で説明したが、電力分配部２ａ、２ｃ夫々のいずれか一方の出力にのみ挿入するように構成することもできる。また、電力分配部２ａ，２ｃを使用せず、発振部１ａ，１ｃを４つに構成することもできる。
【産業上の利用可能性】
【００３５】
以上のように、本発明にかかるマイクロ波処理装置は複数の給電部を有し、給電するマイクロ波電力の発振周波数や給電部間の位相差を変化させる装置を提供できるので、電子レンジで代表されるような誘電加熱を利用した加熱装置や生ゴミ処理機、あるいは半導体製造装置であるプラズマ電源のマイクロ波電源などの用途にも適用できる。
【図面の簡単な説明】
【００３６】
【図１】本発明の実施の形態１におけるマイクロ波処理装置の構成図
【符号の説明】
【００３７】
１ａ、１ｃ  発振部
２ａ、２ｃ  電力分配部
３ａ〜３ｄ  位相可変部
４ａ〜４ｄ  増幅部
５ａ〜５ｄ  給電部
６ａ〜６ｄ  電力検出部
７  制御部
８  加熱室
９  被加熱物
【図１】
0005092863.tif 000002